(57)【要約】【課題】撮像部の被写体光の入射面に対する異物の付着を減少させ、かつ、回転可動式の反射ミラーの駆動時間を短縮させることができるカメラを提供する。【解決手段】カメラ（１０）は、被写体光を入射する入射部（１４）と、前記入射部（１４）から入射された前記被写体光の光路上に設けられたミラー部（３０）と、前記ミラー部（３０）を回転可能に支持する回転機構部（３１）と、前記被写体光の光軸（Ａ１）に対して特定の角度に傾斜して配置され、前記回転機構部（３１）で回転した前記ミラー部（３０）によって反射した前記被写体光を入射する撮像部（６０）とを備える。【選択図】図１
2008263516.tif 000002
【特許請求の範囲】
【請求項１】
被写体光を入射する入射部と、
前記入射部から入射された前記被写体光の光路上に設けられたミラー部と、
前記ミラー部を回転可能に支持する回転機構部と、
前記被写体光の光軸に対して特定の角度に傾斜して配置され、前記回転機構部で回転した前記ミラー部によって反射した前記被写体光を入射する撮像部と、
を備えるカメラ。
【請求項２】
請求項１に記載のカメラにおいて、
前記撮像部は、前記入射部側の端部がその反対側の端部よりも、前記入射部を通過する前記被写体光の光軸からの最短距離が短くなるように配置されること、
を特徴とするカメラ。
【請求項３】
請求項１又は請求項２に記載のカメラにおいて、
前記撮像部は、前記被写体光の光軸よりも下方に配置されること、
を特徴とするカメラ。
【請求項４】
請求項２又は請求項３に記載のカメラにおいて、
前記撮像部は、前記入射部側とは反対側の端部近傍に異物保持部を備えること、
を特徴とするカメラ。
【請求項５】
請求項１から請求項４までのいずれか１項に記載のカメラにおいて、
前記撮像部は、前記被写体光の入射側に配置され、前記被写体光が通過する透過部材と、前記透過部材を振動させる振動機構部とを備えること、
を特徴とするカメラ。
【請求項６】
請求項１から請求項５までのいずれか１項に記載のカメラにおいて、
前記撮像部と略対向する位置に設けられ、前記回転機構部で回転した前記ミラー部によって反射した前記被写体光を入射するファインダ部を備えること、
を特徴とするカメラ。
【請求項７】
請求項６に記載のカメラにおいて、
前記ファインダ部は、前記被写体光を入射する位置にファインダスクリーンを備え、
前記ファインダスクリーンは、前記被写体光の光軸に対して特定の角度に傾斜して配置されること、
を特徴とするカメラ。
【請求項８】
請求項１から請求項５までのいずれか１項に記載のカメラにおいて、
前記撮像部と略対向する位置に設けられ、前記回転機構部で回転した前記ミラー部によって反射した前記被写体光を入射する第２撮像部を備えること、
を特徴とするカメラ。
【請求項９】
請求項８に記載のカメラにおいて、
前記第２撮像部は、前記被写体光の光軸に対して特定の角度に傾斜して配置されること、
を特徴とするカメラ。
【発明の詳細な説明】
【技術分野】
【０００１】
本発明は、被写体を撮影するカメラに関するものである。
【背景技術】
【０００２】
デジタルカメラの撮像素子や、その光路上に配置されたローパスフィルタなどの透過部材からなる撮像部の表面に付着する異物を除去する技術は、さまざまの態様で提案及び実現されている（例えば、特許文献１）。
特許文献１のカメラは、撮像素子上に配置された光学素子（透過部材）を加振手段により共振させて、光学素子に付着した異物を振り落として除去する清掃機能を有している。
【０００３】
このような清掃機能を有したカメラは、カメラを正位置に配置したときは、撮像素子の光の入射面が水平面に対して垂直になるので、振り落とした異物は重力によって落下させることができる。しかし、撮像素子の光の入射面が鉛直上方を向くようにカメラが配置された場合、異物を自然に落下させることができず、また、清掃機能を作動させたとしても、異物は光学素子上を跳ねるのみで、そこからは除去されずに、清掃機能を無駄に作動させてしまう恐れがある。
【特許文献１】特許第３７２７９０３号公報
【発明の開示】
【発明が解決しようとする課題】
【０００４】
本発明の課題は、撮像部の被写体光の入射面に対する異物の付着を減少させ、かつ、回転可動式の反射ミラーの駆動時間を短縮させることができるカメラを提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、被写体光（Ａ１）を入射する入射部（１４）と、前記入射部（１４）から入射された前記被写体光（Ａ１）の光路上に設けられたミラー部（３０）と、前記ミラー部（３０）を回転可能に支持する回転機構部（３１）と、前記被写体光（Ａ１）の光軸に対して特定の角度に傾斜して配置され、前記回転機構部（３１）で回転した前記ミラー部（３０）によって反射した前記被写体光（Ａ１）を入射する撮像部（６０）と、を備えるカメラ（１０）である。
請求項２の発明は、請求項１に記載のカメラ（１０）において、前記撮像部（６０）は、前記入射部（１４）側の端部がその反対側の端部よりも、前記入射部（１４）を通過する前記被写体光（Ａ１）の光軸からの最短距離が短くなるように配置されること、を特徴とするカメラ（１０）である。
請求項３の発明は、請求項１又は請求項２に記載のカメラ（１０）において、前記撮像部（６０）は、前記被写体光（Ａ１）の光軸（Ａ１）よりも下方に配置されること、を特徴とするカメラ（１０）である。
請求項４の発明は、請求項２又は請求項３に記載のカメラ（１０）において、前記撮像部（６０）は、前記入射部（１４）側とは反対側の端部近傍に異物保持部（６５）を備えること、を特徴とするカメラ（１０）である。
請求項５の発明は、請求項１から請求項４までのいずれか１項に記載のカメラ（１０）において、前記撮像部（６０）は、前記被写体光（Ａ３）の入射側に配置され、前記被写体光（Ａ３）が通過する透過部材（６１）と、前記透過部材（６１）を振動させる振動機構部（６４）とを備えること、を特徴とするカメラ（１０）である。
請求項６の発明は、請求項１から請求項５までのいずれか１項に記載のカメラ（１０）において、前記撮像部（６０）と略対向する位置に設けられ、前記回転機構部（３１）で回転した前記ミラー部（３０）によって反射した前記被写体光（Ａ２）を入射するファインダ部（４０）を備えること、を特徴とするカメラ（１０）である。
請求項７の発明は、請求項６に記載のカメラ（１０）において、前記ファインダ部（４０）は、前記被写体光（Ａ２）を入射する位置にファインダスクリーン（４１）を備え、前記ファインダスクリーン（４１）は、前記被写体光の光軸（Ａ１）に対して特定の角度に傾斜して配置されること、を特徴とするカメラ（１０）である。
請求項８の発明は、請求項１から請求項５までのいずれか１項に記載のカメラにおいて、前記撮像部と略対向する位置に設けられ、前記回転機構部で回転した前記ミラー部によって反射した前記被写体光を入射する第２撮像部を備えること、を特徴とするカメラである。
請求項９の発明は、請求項８に記載のカメラにおいて、前記第２撮像部は、前記被写体光の光軸に対して特定の角度に傾斜して配置されること、を特徴とするカメラである。
【発明の効果】
【０００６】
本発明によれば、カメラは、撮像部の被写体光の入射面に異物が付着したときに、撮像部の傾斜によって異物を滑り落として、撮像部の入射面に対する異物の付着を減少させることができ、また、撮像部の傾斜によって、ミラー部の回転角度を減少させて、ミラー部の駆動時間を短縮させることができる。
【発明を実施するための最良の形態】
【０００７】
（第１実施形態）
以下、図面等を参照して、本発明の実施形態をあげて、さらに詳しく説明する。
図１は、本発明によるカメラの第１実施形態を示す模式図であり、図１（ａ）に、カメラの正位置における全体構成を示し、図１（ｂ）に、カメラの制御ブロック図を示す。図２は、カメラの撮像部に付着した異物の動きを説明する図である。
なお、説明を明確にするために、図１（ａ）の左側をカメラの前部、右側を後部、上側を上部、下側を下部、紙面の手前側を左部、紙面の裏側を右部として説明する。また、前後方向をＸ方向、左右方向をＹ方向、上下方向をＺ方向とする（図１（ａ）参照）。更に、カメラの正位置とは、カメラのレンズ部の光軸が水平であり、撮影画像の長手方向が水平となるカメラの姿勢を示すものとする。
【０００８】
カメラ１０は、図１（ａ）に示すように、制御部１１、画像表示部１２、操作部１３、取り付け部１４、レンズ部２０、ミラーユニット部３０、ファインダ部４０、シャッタ部５０及び撮像部６０を有したデジタル一眼レフカメラである。
制御部１１は、図１（ｂ）に示すように、画像表示部１２、操作部１３、ミラーユニット部３０、シャッタ部５０及び撮像部６０に接続され、各部を統括して制御するＣＰＵである。
画像表示部１２は、カメラ１０の後部に設けられ、被写体像や、操作に関連した情報、撮影した被写体像などを表示する液晶ディスプレイである。
【０００９】
操作部１３は、カメラ１０の上部に設けられ、レンズ部２０を通過した被写体像の撮影を実行するレリーズスイッチ１３−１と、カメラ１０の後部に設けられ、カメラ１０の設定や清掃開始などを実行する操作ボタン１３−２とを有している。
取り付け部１４は、カメラ１０の前部に設けられたレンズ部２０を着脱自在に取り付ける接続部であり、カメラ１０内に被写体光Ａ１を入射させる開口部を有している（入射部）。
レンズ部２０は、取り付け部１４を介して、カメラ１０に着脱自在に固定され、被写体光Ａ１を入射し、ミラーユニット部３０へと出射するレンズ群である。レンズ部２０は、撮影目的に応じて交換可能であり、被写体像を拡大又は縮小するズーム式のレンズ群や、単焦点式のレンズ群を用いることができる。ここで、カメラ１０内に存在する異物７０は、主に、このレンズ部２０をカメラ１０から外したときに外部から侵入する。
【００１０】
ミラーユニット部３０は、レンズ部２０の後部から出射される被写体光Ａ１を入射する位置に設けられ、ファインダ部４０又は撮像部６０に被写体光Ａ１を適切に入射させるミラー機構であり、ミラー部３１及び回転機構部３２を有している。
ミラー部３１は、被写体光Ａ１をファインダ部４０又は撮像部６０へ反射する反射ミラーである。
【００１１】
回転機構部３２は、ミラー部３１の中心を通過するＹ軸に平行な中心線上に回転中心を有し、その回転中心周り（矢印Ｂ）でミラー部３１を回転させる機構である。回転機構部３２は、ミラー部３１を所定の角度に傾斜させ、被写体光Ａ１の反射方向をファインダ部４０方向又は撮像部６０方向に切り替えている。ここで、ミラー部３１に入射される被写体光Ａ１は、ファインダ部４０へ反射することで被写体光Ａ２となり、撮像部６０へ反射することで被写体光Ａ３となる。
【００１２】
回転機構部３２は、後述のファインダ部４０のファインダスクリーン４１の被写体光Ａ２の入射面がレンズ部２０を通過する被写体光Ａ１と平行となっているので、ミラー部３１を被写体光Ａ１に対して４５度傾斜した状態（図１において二点鎖線で示す状態）にすることによって、反射した被写体光Ａ２を後述のファインダスクリーン４１の入射面に対して垂直に入射させることができる。
また、回転機構部３２は、後述の撮像部６０の被写体光Ａ３の入射面が、レンズ部２０側の端部がその反対側の端部よりも上方に位置するように傾斜（本実施形態では、２０度）しているので、ミラー部３１を被写体光Ａ１に対して１２５度傾斜した状態（図１において実線で示す状態）にすることによって、反射した被写体光Ａ３を後述の撮像部６０の入射面に対して垂直に入射させることができる。
【００１３】
ファインダ部４０は、ファインダスクリーン４１、ペンタダハプリズム４２及び接眼部４３を有している。
ファインダスクリーン４１は、前述したように、その入射面とレンズ部２０を通過する被写体光Ａ１とが平行になるように、ミラーユニット部３０の上方に配置されており、ミラー部３１が４５度傾斜したときに反射する被写体光Ａ２を入射して結像するためのスクリーンである。
【００１４】
ペンタダハプリズム４２は、ファインダスクリーン４１の上方に配置され、ファインダスクリーン４１によって結像された被写体光Ａ２を接眼部４３へと射出する多角形のプリズムである。
接眼部４３は、ペンタダハプリズム４２から射出された被写体光Ａ２が入射する位置に配置された接眼光学系である。
シャッタ部５０は、上述のミラー部３１が１２５度傾斜したときに反射する被写体光Ａ３を入射するミラーユニット部３０の下方に、撮像部６０と平行となるように配置され、レリーズスイッチ１３−１の操作に応じて、不図示のシャッタ羽根群を開閉させ、撮像部６０に対する被写体光Ａ３の入射を制限している。
【００１５】
撮像部６０は、シャッタ部５０を通過した被写体光Ａ３を入射する位置に設けられ、透過部材６１、ローパスフィルタ６２、撮像素子６３、駆動機構部６４及び異物保持部６５を有している。また、撮像部６０の被写体光Ａ３の入射面は、上述したように、レンズ部２０側の端部がその反対側の端部よりも、レンズ部２０を通過する被写体光Ａ１からの最短距離が短くなるように傾斜して配置されている。本実施例では、被写体光Ａ１に対して２０度傾斜させている。
撮像部６０は、その姿勢を傾斜させることによって、仮に異物７０が撮像部６０の入射面に付着したとしても、図２に示すように、撮像部６０の傾斜により異物７０を入射面から滑り落とすことができる（矢印Ｃ）。ここで、本実施形態では、上述の撮像部６０の表面に付着する異物７０は、撮像部６０の最上部に配置された透過部材６１の表面に付着する。
【００１６】
透過部材６１は、撮像部６０の最上部に配置され、異物７０がローパスフィルタ６２及び撮像素子６３の被写体光Ａ３の入射面に付着するのを防止する透明な透過フィルムである。また、透過部材６１は、その入射面を帯電防止加工することによって、入射面に付着する異物７０の剥離を容易にすることができる。
ローパスフィルタ６２は、透過部材６１の下方に配置され、ミラー部３１で反射した被写体光Ａ３の高周波成分を取り除くための水晶複屈折板であり、被写体像の干渉縞（モアレ）の発生を防止する。
撮像素子６３は、ローパスフィルタ６２の下方に配置されたＣＣＤ（Ｃｈａｒｇｅ−Ｃｏｕｐｌｅｄ  Ｄｅｖｉｃｅ）であり、透過部材６１及びローパスフィルタ６２を介して入射した被写体光Ａ３を露光し、電気的な画像信号に変換して、制御部１１に設けられた不図示の画像処理部へ出力する。ここで、撮像素子６３は、ＣＣＤに限られず、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を使用することも可能である。
【００１７】
駆動機構部６４は、不図示の駆動機構と圧電素子とを備え、図２に示すように、撮像部６０の透過部材６１を被写体光Ａ３の光軸方向に振動させ（矢印Ｄ）、透過部材６１の被写体光Ａ３の入射面に付着した異物７０を揺り動かして、除去させる機構である。上述したように、撮像部６０は、その入射面がレンズ部２０を通過する被写体光Ａ１に対して傾斜しているので異物７０が自然に滑り落ちるが、より確実に透過部材６１から異物７０を除去するために、駆動機構部６４が設けられている。
ここで、駆動機構部６４は、操作ボタン１３−２によって任意に作動させたり、カメラ１０の主電源が投入されたときなどに自動的に作動させたりすることができる。
【００１８】
異物保持部６５は、透過部材６１から滑り落ちた異物や、駆動機構部６４によって振り落とされた異物７０を回収する回収部であり、撮像部６０のレンズ部２０側とは反対側（画像表示部１２側）の端部近傍に配置されている。異物保持部６５は、除去した異物７０を確実に保持するために、例えば、粘着剤などで形成されている。また、異物保持部６５は、除去した異物７０をカメラ１０の外部に排出できるように、排出口を設けてもよい。
異物７０は、カメラ１０の外部、例えば、レンズ部２０を外した状態の取り付け部１４から混入する塵や、カメラ１０内の摺動部、例えば、ミラーユニット部３０の回転機構部３２やシャッタ部５０のシャッタ羽根群などから発生する塵などである。
【００１９】
図５は、本発明のカメラの比較例を示す図である。
ミラー部によって被写体光Ａ１を反射させて、撮像部に入射させる形式を有するカメラは、一般的には図５に示すような形態が考えられる。図５に示すカメラ１００と本実施形態のカメラ１０との相違点は、カメラ１００の撮像部１６０の入射面が被写体光Ａ１と平行に配置されている点である。
カメラ１００は、正位置に配置された場合、撮像部１６０の入射面が鉛直上方を向いてしまうので、本実施形態のカメラ１０のように異物７０が付着したとしても重力により入射面から滑り落ちることがない。また、撮像部１６０に設けられた駆動機構部１６４を作動させたとしても、異物７０は、透過部材１６１上を跳ねるのみで、そこからは除去することができない。本実施形態のカメラ１０では、以上のような問題点を解決している。
【００２０】
また、図５に示す形態では、カメラ１００のミラー部１３１は、被写体光Ａ１をファインダ部１４０に反射させるとき、被写体光Ａ１に対して４５度傾斜させ、撮像部１６０に反射させるときは、被写体光Ａ１に対して１３５度傾斜させるので、ミラー部１３１の総回転量は９０度（４５度〜１３５度）となる。一方、本実施形態のカメラ１０は、上述したように、被写体光Ａ１に対して４５度から１２５度の範囲を回転するので、総回転量が８０度（４５度〜１２５度）となり、図５のカメラ１００の総回転量（９０度）よりも小さくなるので、被写体光Ａ１のファインダ部４０から撮像部６０に反射させるミラー部３１の切り替え動作（反射切替動作）の駆動時間を、カメラ１００よりも短縮することができる。
【００２１】
さらに、特許文献１に記載したようなカメラのミラー部は、ミラー部の上端部を軸にして回転しているのに対し、本実施形態のカメラ１０のミラー部３１は、ミラー部３１の中心を通過するＹ軸に平行な中心線を軸にして回転しているので、回転部であるミラー部３１の慣性モーメントを小さくすることができ、特許文献１に記載したカメラよりも反射切替動作の駆動時間を短縮したり、ミラー部の制御特性を向上させたりすることができる。
【００２２】
次に、カメラ１０の動作について説明する。図３は、被写体の撮影を実行するときのミラー部の動作を説明する図である。
カメラ１０で被写体を撮影するとき、カメラ１０の制御部１１は、図３（ａ）に示すように、ミラー部３１を回転機構部３２によって被写体光Ａ１に対して４５度傾斜させ、被写体光Ａ１をミラー部３１で反射させて被写体光Ａ２としてファインダ部４０に入射させる。被写体光Ａ２を入射したファインダ部４０は、ファインダスクリーン４１で被写体光Ａ２を結像し、ペンタダハプリズム４２を介して接眼部４３に被写体像を観察可能にする。
【００２３】
ファインダ部４０の接眼部４３を覗いた撮影者によって、レリーズスイッチ１３−１が押されたら、制御部１１は、図３（ｂ）に示すように、ミラー部３１を回転機構部３２によって被写体光Ａ１に対して１２５度傾斜させ、被写体光Ａ１をミラー部３１で反射させて被写体光Ａ３としてシャッタ部５０に入射させる。また、同時に制御部１１は、シャッタ部５０のシャッタ羽根群を開き、被写体光Ａ３を撮像部６０へと通過させる。被写体光Ａ３を入射した撮像部６０は、透過部材６１及びローパスフィルタ６２を介して撮像素子６３に被写体光Ａ３を入射し、被写体像を撮影する。
【００２４】
以上より、本実施形態のカメラには以下のような効果がある。
（１）カメラ１０は、レンズ部２０から入射した被写体光Ａ１に対して２０度に傾斜した状態で配置された撮像部６０を備えているので、撮像部６０の被写体光Ａ３の入射面に異物７０が付着したとしても、撮像部６０の傾斜によって異物７０を滑り落とすことができ、撮像部６０の入射面に対する異物７０の付着を減少させることができる。
【００２５】
（２）撮像部６０は、レンズ部２０側の端部がその反対側の端部よりも、レンズ部２０を通過する被写体光Ａ１からの最短距離が短くなるように配置されているので、撮像部６０が被写体光Ａ１と平行に配置される状態よりも、ミラー部３１の回転量を小さくすることができ、ミラー部３１の駆動時間を短縮させることができる。
（３）撮像部６０は、レンズ部２０側とは反対側の端部近傍に異物保持部６５を備えているので、撮像部６０の透過部材６１から滑り落ちた異物７０を、カメラ１０内に散乱させることなく回収及び保持することができる。
（４）撮像部６０は、被写体光Ａ３の入射側に配置された透過部材６１と、透過部材６１を振動させる駆動機構部６４とを備えているので、傾斜した撮像部６０の透過部材６１から滑り落ちない異物７０を、駆動機構部６４によって透過部材６１を振動させることで振り落とすことができる。
【００２６】
（第２実施形態）
図４は、本発明によるカメラの第２実施形態を示す概略図である。なお、第２実施形態の説明では、前述した実施形態１と同様な機能を果たす部分には、同一の符号又は末尾に統一した符号を付して、重複する説明や図面を適宜省略する。
【００２７】
第２実施形態のカメラ１０−２と第１実施形態のカメラ１０との相違点は、図４に示すように、実施形態２のファインダ部４０−２のファインダスクリーン４１−２が被写体光Ａ１に対して傾斜している点と、ファインダスクリーン４１−２の上方に配置されたペンタダハプリズム４２−２の多角形の形状が変更されている点である。
ファインダスクリーン４１−２は、図４に示すように、その入射面のレンズ部２０側の端部がその反対側の端部よりも、レンズ部２０を通過する被写体光Ａ１からの最短距離が短くなるように傾斜して配置されている（例えば、１０度）。そのため、ミラーユニット部３０の回転機構部３２は、ミラー部３１を被写体光Ａ１に対して５０度傾斜させることによって、ファインダスクリーン４１に被写体光Ａ２を垂直に入射させることができる。
【００２８】
以上より、本実施形態のカメラには以下のような効果がある。
ファインダスクリーン４１−２は、その入射面のレンズ部２０側の端部がその反対側の端部よりも、レンズ部２０を通過する被写体光Ａ１からの最短距離が短くなるように、被写体光Ａ１に対して１０度傾斜して配置されているので、ミラー部３１の総回転量が７５度（５０度〜１２５度）となり、第１実施形態のカメラ１０の総回転量８０度（４５度〜１２５度）よりも小さくすることができ、ミラー部３１の反射切替動作の駆動時間をさらに短縮することができる。また、ファインダスクリーン４１−２を傾斜させることによって、カメラ１０の上下方向の外形寸法を小さくすることができる。
【００２９】
さらに、ミラー部３１は、ファインダ部４０−２に反射させるときの傾斜角が第１実施形態に比べ大きくなるので、レンズ部２０から入射した被写体光Ａ１を第１実施形態よりも小さい反射面でファインダ部４０−２及び撮像部６０に反射させることができ、ミラー部３１を小型化することができる。また、そのミラー部３１の小型化によって、ミラー部３１の慣性モーメントを小さくすることができ、反射切替動作の駆動時間を短縮させたり、ミラー部３１の制御特性を向上させたり、カメラ１０の外形を小型化したりすることができる。
【００３０】
（変形例）
以上説明した実施形態に限定されることなく、種々の変形や変更が可能であって、それらも本発明の範囲内である。
（１）各実施形態では、シャッタ部５０及び撮像部６０は、レンズ部２０を通過する被写体光Ａ１に対して２０度の傾斜で配置されたが、それ以外の角度で配置してもよい。
【００３１】
（２）各実施形態では、ファインダ部４０、４０−２は、光学式のファインダを用いたが、電子式のファインダであってもよい。その場合、図６に示すように、ファインダ部４０、４０−２のファインダスクリーン４１、４１−２の代わりに、ファインダ用の撮像素子８０を配置し、接眼部４３、４３−２にファインダ用の表示部（例えば、小型の液晶ディスプレイ８１）を設けることができる。ここで、ファインダスクリーン４１に代わって配置される撮像素子８０は、小型の液晶ディスプレイ８１に被写体像を写すために使用されるので、撮像部６０で使用される撮像素子６３よりも画素数の少ない安価な撮像素子を使用することができる。
【００３２】
なお、第１実施形態〜第２実施形態及び変形形態は、適宜組み合わせて用いることもできるが、詳細な説明は省略する。また、本発明は、以上説明した各実施形態によって限定されることはない。
【図面の簡単な説明】
【００３３】
【図１】本発明によるカメラの第１実施形態を示す模式図である。
【図２】第１実施形態のカメラの撮像部に付着した異物の動きを説明する図である。
【図３】第１実施形態のカメラのミラー部の動作を説明する図である。
【図４】本発明によるカメラの第２実施形態を示す模式図である。
【図５】本発明によるカメラの比較例を示す図である。
【図６】本発明によるカメラの変形例を示す図である。
【符号の説明】
【００３４】
１０：カメラ、１１：制御部、１２：画像表示部、１３：操作部、１４：取り付け部、２０：レンズ部、３０：ミラーユニット部、３１：ミラー部、３２：回転機構部、４０、４０−２：ファインダ部、４１、４１−２：ファインダスクリーン、４２、４２−２：ペンタダハプリズム、４３、４３−２：接眼部、５０：シャッタ部、６０：撮像部、６１：透過部材、６２：ローパスフィルタ、６３：撮像素子、６４：駆動機構部、６５：異物保持部、７０：異物
【図１】
2008263516.tif 000003
【図２】
2008263516.tif 000004
【図３】
2008263516.tif 000005
【図４】
2008263516.tif 000006
【図５】
2008263516.tif 000007
【図６】
2008263516.tif 000008